(57)【要約】【課題】発泡性を有する材料を用いた表面処理の施工品質を改善した表面処理装置を提供する。【解決手段】  表面処理装置１を、処理対象物１００の表面に沿って移動可能な移動体１０と、移動体に設けられ処理対象物の表面に発泡性を有する第１の材料Ｓｆを噴射する第１の噴射装置３０と、移動体に設けられ処理対象物の表面における第１の噴射装置から第１の材料が噴射されかつ第１の材料が発泡した後の領域に第１の材料の表面を被覆する第２の材料Ｓｃを噴射する第２の噴射装置４０とを備える構成とする。【選択図】図１
2020193476.tif 000002
【特許請求の範囲】
【請求項１】
処理対象物の表面に沿って移動可能な移動体と、
前記移動体に設けられ、前記処理対象物の表面に発泡性を有する第１の材料を噴射する第１の噴射装置と、
前記移動体に設けられ、前記処理対象物の表面における前記第１の噴射装置から前記第１の材料が噴射された後の領域に前記第１の材料の表面を被覆する第２の材料を噴射する第２の噴射装置と
を備えることを特徴とする表面処理装置。
【請求項２】
前記処理対象物が水平面に対して傾斜して配置された屋根であり、
前記第１の噴射装置及び前記第２の噴射装置は、前記移動体が前記屋根の傾斜方向に沿って移動する状態で噴射を行うこと
を特徴とする請求項１に記載の表面処理装置。
【請求項３】
前記処理対象物が水平面に対して傾斜して配置されるとともに、上方に突出した凸部であり一方向に沿って延びて形成された山部、及び、前記山部に挟まれた凹部である谷部が平行に順次配列された屋根であり、
前記第１の噴射装置及び前記第２の噴射装置は、前記移動体が前記屋根の前記山部及び前記谷部の長手方向に沿って移動する状態で噴射を行うこと
を特徴とする請求項１に記載の表面処理装置。
【請求項４】
前記移動体は、前記屋根の前記谷部に沿って走行する転動体を有すること
を特徴とする請求項３に記載の表面処理装置。
【請求項５】
前記屋根は、前記山部と前記谷部との境界部に設けられ前記山部の突端面及び前記谷部の底面に対してそれぞれ傾斜した斜面部を有し、
前記第１の噴射装置と前記第２の噴射装置との少なくとも一方のノズル軸心は前記斜面部を指向して配置されること
を特徴とする請求項３又は請求項４に記載の表面処理装置。
【請求項６】
前記第１の噴射装置と前記第２の噴射装置との少なくとも一方は、前記ノズル軸心が前記谷部の一方側に隣接する前記斜面部を指向する第１の状態と、前記ノズル軸心が前記谷部の他方側に隣接する前記斜面部を指向する第２の状態との間で推移可能であること
を特徴とする請求項５に記載の表面処理装置。
【請求項７】
前記移動体は、前記第１の噴射装置と前記第２の噴射装置との少なくとも一方が噴射を行う際の移動方向とは異なった方向に、前記表面に沿って移動可能であること
を特徴とする請求項１から請求項６までのいずれか１項に記載の表面処理装置。
【請求項８】
前記表面と接するとともに、前記移動体を前記第１の噴射装置と前記第２の噴射装置との少なくとも一方が噴射を行う際の移動方向とは異なった方向に、前記表面に沿って移動するよう案内するレール部と、
前記移動体と前記レール部との間に設けられ、前記移動体と前記レール部との間隔を、前記移動体が前記表面から離間する方向に変化させる移動体離間部とを備えること
を特徴とする請求項１から請求項７までのいずれか１項に記載の表面処理装置。
【請求項９】
前記第２の噴射装置は、前記第１の噴射装置により前記第１の材料が噴射された領域に、前記第２の材料を複数回噴射する機能を有すること
を特徴とする請求項１から請求項８までのいずれか１項に記載の表面処理装置。
【請求項１０】
前記表面における前記移動体との接触箇所、前記第１の噴射装置の前記ノズル軸心の指向箇所、前記第２の噴射装置の前記ノズル軸心の指向箇所が、前記移動体の前記第１の噴射装置と前記第２の噴射装置との少なくとも一方が噴射を行う際の移動方向とは異なった方向に相互に離間して順次配列されること
を特徴とする請求項１から請求項９までのいずれか１項に記載の表面処理装置。
【請求項１１】
前記移動体は、前記第１の噴射装置及び前記第２の噴射装置が前記表面に前記第１の材料及び前記第２の材料を噴射する領域に対して、噴射を行う際の前記移動体の移動方向と直交する方向における一方側のみで前記表面に接すること
を特徴とする請求項１から請求項１０までのいずれか１項に記載の表面処理装置。
【請求項１２】
処理対象物の表面に沿って移動可能な移動体に設けられた第１の噴射装置を用いて、前記移動体を移動させた状態で前記処理対象物の表面に発泡性を有する第１の材料を噴射するとともに、
前記移動体に設けられた第２の噴射装置を用いて、前記移動体を移動させた状態で前記処理対象物の表面における前記第１の材料が噴射された後の領域を被覆する第２の材料を噴射すること
を特徴とする表面処理方法。
【請求項１３】
前記処理対象物が水平面に対して傾斜して配置された屋根であり、
前記第１の噴射装置及び前記第２の噴射装置は、前記移動体が前記屋根の傾斜方向に沿って移動する状態で噴射を行うこと
を特徴とする請求項１２に記載の表面処理方法。
【請求項１４】
前記処理対象物が水平面に対して傾斜して配置されるとともに、上方に突出した凸部であり一方向に沿って伸びて形成された山部、及び、前記山部に挟まれた凹部である谷部が平行に順次配列された屋根であり、
前記第１の噴射装置及び前記第２の噴射装置は、前記移動体が前記屋根の前記山部及び前記谷部の長手方向に沿って移動する状態で噴射を行うこと
を特徴とする請求項１２に記載の表面処理方法。
【請求項１５】
前記移動体は、前記屋根の前記谷部に沿って走行する転動体を有すること
を特徴とする請求項１４に記載の表面処理方法。
【請求項１６】
前記屋根は、前記山部と前記谷部との境界部に設けられ前記山部の突端面及び前記谷部の底面に対してそれぞれ傾斜した斜面部を有し、
前記第１の噴射装置と前記第２の噴射装置との少なくとも一方のノズル軸心は前記斜面部を指向して配置されること
を特徴とする請求項１４又は請求項１５に記載の表面処理方法。
【請求項１７】
前記第１の噴射装置と前記第２の噴射装置との少なくとも一方を、前記ノズル軸心が前記谷部の一方側に隣接する前記斜面部を指向する第１の状態と、前記ノズル軸心が前記谷部の他方側に隣接する前記斜面部を指向する第２の状態との間で推移させ、前記第１の状態及び前記第２の状態であるときにそれぞれ前記移動体を移動させた状態で噴射を行うこと
を特徴とする請求項１６に記載の表面処理方法。
【請求項１８】
前記移動体は、第１の方向に移動しながら前記第１の噴射装置と前記第２の噴射装置との少なくとも一方が噴射を行い、前記第１の移動方向における終端部において、前記第１の移動方向と異なる第２の方向へ移動されること
を特徴とする請求項１２から請求項１７までのいずれか１項に記載の表面処理方法。
【請求項１９】
前記表面と接するとともに、前記移動体を前記第１の噴射装置と前記第２の噴射装置との少なくとも一方が噴射を行う際の移動方向とは異なった方向に、前記表面に沿って移動するよう案内するレール部を設け、
前記移動体と前記レール部との間隔を、前記移動体が前記表面から離間する方向に変化させた状態で、前記移動体を前記レール部に沿った方向へ移動すること
を特徴とする請求項１８に記載の表面処理方法。
【請求項２０】
前記第２の噴射装置は、前記第１の噴射装置により前記第１の材料が噴射された領域に、前記第２の材料を複数回噴射すること
を特徴とする請求項１２から請求項１９までのいずれか１項に記載の表面処理方法。
【請求項２１】
前記表面における前記移動体との接触箇所、前記第１の噴射装置の前記ノズル軸心の指向箇所、前記第２の噴射装置の前記ノズル軸心の指向箇所が、前記移動体の前記第１の噴射装置と前記第２の噴射装置との少なくとも一方が噴射を行う際の移動方向とは異なった方向に相互に離間して順次配列されること
を特徴とする請求項１２から請求項２０までのいずれか１項に記載の表面処理方法。
【請求項２２】
前記移動体は、前記第１の噴射装置及び前記第２の噴射装置が前記表面に前記第１の材料及び前記第２の材料を噴射する領域に対して、噴射を行う際の前記移動体の移動方向と直交する方向における一方側のみで前記表面に接し、
前記移動体を前記一方側に順次移動させながら前記第１の材料及び前記第２の材料の噴射を行うこと
を特徴とする請求項１２から請求項２１までのいずれか１項に記載の表面処理方法。
【発明の詳細な説明】
【技術分野】
【０００１】
本発明は、例えば建築物の屋根などの処理対象物の表面に発泡材料、及び、これを被覆する他の材料を施工する表面処理装置及び表面処理方法に関する。
【背景技術】
【０００２】
例えば工場、倉庫、商業施設等の大型建築物の金属製折板屋根においては、金属部分を保護して防水性、防錆性、断熱性などを確保するため、所定の期間ごとに塗装を行うことが必要となる。
近年、発泡性を有する樹脂材料を屋根に吹き付けて、屋根の表面上で断熱発泡層を形成することが提案されている。
【０００３】
例えば、特許文献１には、屋根等の表面に樹脂製発泡剤で構成された断熱発泡層を吹付により形成し、この断熱発泡層の表面に防水性等を有する高強度樹脂製の補強防水層を吹付により形成することが記載されている。
また、屋根の塗装等の自動化に関する従来技術として、例えば特許文献２には、金属板を周期的に凹凸に曲げ加工して形成した折板屋根の谷部に沿って走行する台車にノズルを取り付けた折板屋根の塗装装置が記載されている。
【先行技術文献】
【特許文献】
【０００４】
【特許文献１】特開２０１０−１６８８７８号公報
【特許文献２】特開平１１−２０７２２１号公報
【発明の概要】
【発明が解決しようとする課題】
【０００５】
従来、特許文献１に記載されたような発泡性を有する材料を用いた表面処理は、作業者がノズルを有するスプレーガンを手持ちして屋根上に上がり、施工を行っていた。
この場合、作業者は屋根の上に仮設の足場を載置し、この上に立って所定範囲に発泡性樹脂を噴射した後、足場を移動して隣接する領域の施工を行うことになる。
しかし、この場合、先に施工した領域と、後に施工した領域との境界部は、発泡性樹脂が二重に重ねて吹き付けられ、発泡断熱層の厚みが局所的に大きくなってしまう場合があった。
このように局所的に発泡性樹脂の塗布厚みが大きくなると、原材料のロスとなり、さらに屋根の傾斜方向と直交する方向に沿ってこのような箇所が形成された場合には、屋根の上方から流下する雨水が堰き止められ、排水性や防水性が悪化する原因となっていた。
また、発泡性樹脂からなる断熱発泡層は、吹付後の時間経過とともに、表面の反応基が減少し、紫外線による表面劣化が進行してコート剤との付着力が低下する。また、紫外線の影響により変色し、表面が脆くなってフォームの物性が劣化する。このため、発泡性樹脂を噴射してこれが発泡した後に、直ちに（例えば数時間以内に）コート層の施工を行うことが好ましいが、上述した作業者の手作業による施工では、発泡性樹脂の噴射後、コート層の塗装までにある程度の時間を要することは避けられなかった。
【０００６】
一方、引用文献２に記載されたような自走式の塗装装置を用いて発泡性材料からなる断熱発泡層を施工し、さらにその表面に補強防水層を形成することも考えられるが、この塗装装置では複数種類の液剤を噴射することが考慮されておらず、断熱発泡層及び補強防水層をそれぞれ独立した塗装装置を用いて形成する場合には施工工程が著しく煩雑となり、さらに、断熱発泡層の施工後補強防水層の施工までに時間がかかってしまうことは避けられない。
また、引用文献２では、図５に記載されたように折板屋根の山部の頂面を指向するようノズルが配置されているが、このようにして発泡性を有する材料を噴射した場合、山部の頂面において局所的に断熱発泡層が厚くなり、いわゆるキノコ状に膨らんだ断面形状となって原材料を浪費し、かつ雨水の排水性等に悪影響を及ぼすことも懸念される。
上述した問題に鑑み、本発明の課題は、発泡性を有する材料を用いた表面処理の施工品質を改善した表面処理装置及び表面処理方法を提供することである。
【課題を解決するための手段】
【０００７】
本発明は、以下のような解決手段により、上述した課題を解決する。
請求項１に係る発明は、処理対象物の表面に沿って移動可能な移動体と、前記移動体に設けられ、前記処理対象物の表面に発泡性を有する第１の材料を噴射する第１の噴射装置と、前記移動体に設けられ、前記処理対象物の表面における前記第１の噴射装置から前記第１の材料が噴射された後の領域に前記第１の材料の表面を被覆する第２の材料を噴射する第２の噴射装置とを備えることを特徴とする表面処理装置である。
これによれば、移動体を処理対象物の表面に沿って移動させながら第１の材料、第２の材料を噴射することによって、各材料の塗布厚さのばらつき（ムラ）を抑制することができる。
また、第１の噴射装置及び第２の噴射装置を同一の移動体に設けることにより、第１の材料の塗布後、短時間のうちに第２の材料を塗布することが容易であり、表面処理の施工品質を向上することができる。
【０００８】
請求項２に係る発明は、前記処理対象物が水平面に対して傾斜して配置された屋根であり、前記第１の噴射装置及び前記第２の噴射装置は、前記移動体が前記屋根の傾斜方向に沿って移動する状態で噴射を行うことを特徴とする請求項１に記載の表面処理装置である。
これによれば、第１の材料、第２の材料を噴射する際の移動体の送り方向を、屋根の傾斜方向に沿って配置することにより、これと直交する方向（典型的には水平方向）に延在するムラが形成されることを防止し、雨水等の排水性を確保することができる。
なお、本明細書、特許請求の範囲において、屋根の傾斜方向とは、屋根の上部に設けられる棟側から、屋根の下部に設けられる軒先側へ向かう方向（雨水等の排水方向）を意味し、水平面に対する屋根の傾斜が最大となる方向を含む。
【０００９】
請求項３に係る発明は、前記処理対象物が水平面に対して傾斜して配置されるとともに、上方に突出した凸部であり一方向に沿って延びて形成された山部、及び、前記山部に挟まれた凹部である谷部が平行に順次配列された屋根であり、前記第１の噴射装置及び前記第２の噴射装置は、前記移動体が前記屋根の前記山部及び前記谷部の長手方向に沿って移動する状態で噴射を行うことを特徴とする請求項１に記載の表面処理装置である。
これによれば、折板屋根の山部及び谷部の長手方向に沿って移動しながら第１の材料、第２の材料を噴射することにより、上述した効果を確実に得ることができる。
【００１０】
請求項４に係る発明は、前記移動体は、前記屋根の前記谷部に沿って走行する転動体を有することを特徴とする請求項３に記載の表面処理装置である。
これによれば、折板屋根の谷部を移動体の移動を案内するレールとして利用することにより、簡単な構成により十分な精度で移動体を移動させることができる。
【００１１】
請求項５に係る発明は、前記屋根は、前記山部と前記谷部との境界部に設けられ前記山部の突端面及び前記谷部の底面に対してそれぞれ傾斜した斜面部を有し、前記第１の噴射装置と前記第２の噴射装置との少なくとも一方のノズル軸心は前記斜面部を指向して配置されることを特徴とする請求項３又は請求項４に記載の表面処理装置である。
これによれば、十分な塗布厚さを確保しにくい斜面部を指向して第１の材料、第２の材料を噴射することによって、斜面部における十分な塗布厚さを確保するとともに、突端面において塗布厚さが過度に大きくなることを防止できる。
【００１２】
請求項６に係る発明は、前記第１の噴射装置と前記第２の噴射装置との少なくとも一方は、前記ノズル軸心が前記谷部の一方側に隣接する前記斜面部を指向する第１の状態と、前記ノズル軸心が前記谷部の他方側に隣接する前記斜面部を指向する第２の状態との間で推移可能であることを特徴とする請求項５に記載の表面処理装置である。
これによれば、異なった方向に傾斜した斜面部への噴射を、噴射装置の状態を推移させながら共通の噴射装置で行うことにより、装置の構成を簡素化することができる。
特に、塗装を加圧して送出するコンプレッサ等の構成を簡素化することができ、例えば屋根に施工する場合に地上に準備する機材を少なくすることができる。
【００１３】
請求項７に係る発明は、前記移動体は、前記第１の噴射装置と前記第２の噴射装置との少なくとも一方が噴射を行う際の移動方向とは異なった方向に、前記表面に沿って移動可能であることを特徴とする請求項１から請求項６までのいずれか１項に記載の表面処理装置である。
これによれば、移動体を移動させながら第１の材料、第２の材料を噴射した後に、このときの移動方向とは異なった方向に移動体を送り、同様の処理を繰り返すことにより、広範囲の施工を簡単かつ高い品質で行うことができる。
請求項８に係る発明は、前記表面と接するとともに、前記移動体を前記第１の噴射装置と前記第２の噴射装置との少なくとも一方が噴射を行う際の移動方向とは異なった方向に、前記表面に沿って移動するよう案内するレール部と、前記移動体と前記レール部との間に設けられ、前記移動体と前記レール部との間隔を、前記移動体が前記表面から離間する方向に変化させる移動体離間部とを備えることを特徴とする請求項１から請求項７までのいずれか１項に記載の表面処理装置である。
これによれば、軽量かつ簡単な構成により上述した効果を適切に得ることができる。
【００１４】
請求項９に係る発明は、前記第２の噴射装置は、前記第１の噴射装置により前記第１の材料が噴射された領域に、前記第２の材料を複数回噴射する機能を有することを特徴とする請求項１から請求項８までのいずれか１項に記載の表面処理装置である。
これによれば、発泡性を有する材料の表面上に例えば防水性などを有する材料を十分な塗布厚さとなるまで塗布することができ、施工品質をより向上することができる。
【００１５】
請求項１０に係る発明は、前記表面における前記移動体との接触箇所、前記第１の噴射装置の前記ノズル軸心の指向箇所、前記第２の噴射装置の前記ノズル軸心の指向箇所が、前記移動体の前記第１の噴射装置と前記第２の噴射装置との少なくとも一方が噴射を行う際の移動方向とは異なった方向に相互に離間して順次配列されることを特徴とする請求項１から請求項９までのいずれか１項に記載の表面処理装置である。
これによれば、移動体の同一の移動行程において第１の噴射装置と第２の噴射装置が異なった山部あるいは谷部に噴射を行うことにより、第１の材料を噴射した後に適度な時間間隔をおいて第２の材料を噴射することができる。
【００１６】
請求項１１に係る発明は、前記移動体は、前記第１の噴射装置及び前記第２の噴射装置が前記表面に前記第１の材料及び前記第２の材料を噴射する領域に対して、噴射を行う際の前記移動体の移動方向と直交する方向における一方側のみで前記表面に接することを特徴とする請求項１から請求項１０までのいずれか１項に記載の表面処理装置である。
これによれば、移動体が噴射済みの領域から遠ざかる方向に順次送られることにより、発泡性を有する材料が噴射された領域の表面を移動体が走行することを防止でき、処理済みの表面を保護して施工品質をよりいっそう向上することができる。
【００１７】
請求項１２に係る発明は、処理対象物の表面に沿って移動可能な移動体に設けられた第１の噴射装置を用いて、前記移動体を移動させた状態で前記処理対象物の表面に発泡性を有する第１の材料を噴射するとともに、前記移動体に設けられた第２の噴射装置を用いて、前記移動体を移動させた状態で前記処理対象物の表面における前記第１の材料が噴射された後の領域を被覆する第２の材料を噴射することを特徴とする表面処理方法である。
請求項１３に係る発明は、前記処理対象物が水平面に対して傾斜して配置された屋根であり、前記第１の噴射装置及び前記第２の噴射装置は、前記移動体が前記屋根の傾斜方向に沿って移動する状態で噴射を行うことを特徴とする請求項１２に記載の表面処理方法である。
請求項１４に係る発明は、前記処理対象物が水平面に対して傾斜して配置されるとともに、上方に突出した凸部であり一方向に沿って伸びて形成された山部、及び、前記山部に挟まれた凹部である谷部が平行に順次配列された屋根であり、前記第１の噴射装置及び前記第２の噴射装置は、前記移動体が前記屋根の前記山部及び前記谷部の長手方向に沿って移動する状態で噴射を行うことを特徴とする請求項１２に記載の表面処理方法である。
請求項１５に係る発明は、前記移動体は、前記屋根の前記谷部に沿って走行する転動体を有することを特徴とする請求項１４に記載の表面処理方法である。
請求項１６に係る発明は、前記屋根は、前記山部と前記谷部との境界部に設けられ前記山部の突端面及び前記谷部の底面に対してそれぞれ傾斜した斜面部を有し、前記第１の噴射装置と前記第２の噴射装置との少なくとも一方のノズル軸心は前記斜面部を指向して配置されることを特徴とする請求項１４又は請求項１５に記載の表面処理方法である。
請求項１７に係る発明は、前記第１の噴射装置と前記第２の噴射装置との少なくとも一方を、前記ノズル軸心が前記谷部の一方側に隣接する前記斜面部を指向する第１の状態と、前記ノズル軸心が前記谷部の他方側に隣接する前記斜面部を指向する第２の状態との間で推移させ、前記第１の状態及び前記第２の状態であるときにそれぞれ前記移動体を移動させた状態で噴射を行うことを特徴とする請求項１６に記載の表面処理方法である。
請求項１８に係る発明は、前記移動体は、第１の方向に移動しながら前記第１の噴射装置と前記第２の噴射装置との少なくとも一方が噴射を行い、前記第１の移動方向における終端部において、前記第１の移動方向と異なる第２の方向へ移動されることを特徴とする請求項１２から請求項１７までのいずれか１項に記載の表面処理方法である。
請求項１９に係る発明は、前記表面と接するとともに、前記移動体を前記第１の噴射装置と前記第２の噴射装置との少なくとも一方が噴射を行う際の移動方向とは異なった方向に、前記表面に沿って移動するよう案内するレール部を設け、前記移動体と前記レール部との間隔を、前記移動体が前記表面から離間する方向に変化させた状態で、前記移動体を前記レール部に沿った方向へ移動することを特徴とする請求項１８に記載の表面処理方法である。
請求項２０に係る発明は、前記第２の噴射装置は、前記第１の噴射装置により前記第１の材料が噴射された領域に、前記第２の材料を複数回噴射することを特徴とする請求項１２から請求項１９までのいずれか１項に記載の表面処理方法である。
請求項２１に係る発明は、前記表面における前記移動体との接触箇所、前記第１の噴射装置の前記ノズル軸心の指向箇所、前記第２の噴射装置の前記ノズル軸心の指向箇所が、前記移動体の前記第１の噴射装置と前記第２の噴射装置との少なくとも一方が噴射を行う際の移動方向とは異なった方向に相互に離間して順次配列されることを特徴とする請求項１２から請求項２０までのいずれか１項に記載の表面処理方法である。
請求項２２に係る発明は、前記移動体は、前記第１の噴射装置及び前記第２の噴射装置が前記表面に前記第１の材料及び前記第２の材料を噴射する領域に対して、噴射を行う際の前記移動体の移動方向と直交する方向における一方側のみで前記表面に接し、前記移動体を前記一方側に順次移動させながら前記第１の材料及び前記第２の材料の噴射を行うことを特徴とする請求項１２から請求項２１までのいずれか１項に記載の表面処理方法である。
これらの各発明においても、上述した表面処理装置に係る発明と同様の効果を得ることができる。
【発明の効果】
【００１８】
以上説明したように、本発明によれば、発泡性を有する材料を用いた表面処理の施工品質を改善した表面処理装置及び表面処理方法を提供することができる。
【図面の簡単な説明】
【００１９】
【図１】本発明を適用した表面処理装置の第１実施形態の外観斜視図である。
【図２】図１のII−II部矢視図である。
【図３】図１のIII−III部矢視図である。
【図４】第１実施形態の表面処理装置における折板屋根の表面処理方法を模式的に示す図である。
【図５】第１実施形態の表面処理装置における噴射箇所のパスを模式的に示す図である。
【図６】本発明を適用した表面処理装置の第２実施形態の外観斜視図である。
【図７】図６のVII−VII部矢視図である。
【図８】図６のVIII−VIII部矢視図である。
【図９】第２実施形態の表面処理装置において台車をジャッキにより上昇させた状態を示す図である。
【発明を実施するための形態】
【００２０】
＜第１実施形態＞
以下、本発明を適用した表面処理装置及び表面処理方法の第１実施形態について説明する。
第１実施形態の表面処理方法及び表面処理方法は、例えば、工場、倉庫、商業施設等の大型の建築物に設けられ、鋼板などの金属板を所定のピッチで曲げ加工して形成された折板屋根に、発泡性を有する樹脂材料からなる断熱発泡層（フォーム層）、及び、断熱層に上塗りされ防水性を有する補強防水層（コート層）を形成するものである。
【００２１】
図１は、第１実施形態の表面処理装置の外観斜視図である。
図２は、図１のII−II部矢視図である。
図３は、図１のIII−III部矢視図である。
【００２２】
第１実施形態の表面処理装置１は、台車１０、ノズルステー２０、発泡剤噴射装置３０、コート剤噴射装置４０、ノズル駆動装置５０、ダクト６０、カバーフレーム７０等を有する。
処理対象物の屋根１００は、その傾斜が最大となる方向（上下方向）に沿って伸びた頂面１１０、第１斜面１２０、底面１３０、第２斜面１４０を、順次配列して構成された折板屋根である。
以下の説明において、ある頂面１１０とこれに隣接する第１斜面１２０、第２斜面１４０の上半部によって構成される凸面部を山部、ある底面１３０とこれに隣接する第１斜面１２０、第２斜面１４０の下半部を谷部と称して説明する。
【００２３】
台車１０は、表面処理装置１の基部となる部分であって、屋根１００の上を折板屋根の山部、谷部の長手方向に沿って自走する機能を有する。
台車１０の本体部は、屋根１００の主平面の法線方向から見た平面形が、図１、図３に示すように、矩形のボード状に形成されている。
台車１０は、車輪１１、駆動用モータユニット１２を有する。
【００２４】
車輪１１は、台車１０から下方に突出したステーに取り付けられ、屋根１００の表面に沿って転動する転動体である。
車輪１１は、台車１０の四隅にそれぞれ設けられ、その走行方向は屋根１００の底面１３０の長手方向に沿って配置されている。
一対の車輪１１は、屋根１００の谷部における底面１３０の第１斜面１２０側の端部近傍に設けられ、他の一対の車輪１１は、隣接する他の谷部における底面１３０の第２斜面１４０側の端部近傍に設けられている。
このような構成により、台車１０は、折板屋根の谷部をレールとして、これに案内され走行することが可能となっている。
【００２５】
駆動用モータユニット１２は、車輪１１に駆動力を伝達するアクチュエータである。
駆動用モータユニット１２は、台車１０が屋根１００の端部に到達した際に自動的に停止する自動停止機能を有する。
発泡剤噴射装置３０、コート剤噴射装置４０は、駆動用モータユニット１２の自動停止に応じて、噴射を停止する機能を備えている。
【００２６】
ノズルステー２０は、台車１０の本体部から、屋根１００の上方にオーバーハングするよう突出して配置された片持ち梁状の部材である。
ノズルステー２０は、台車１０から、折板屋根の山部、谷部の長手方向（塗装時における台車１０の走行方向）と実質的に直交する方向に延在している。
ノズルステー２０は、発泡剤噴射装置３０、コート剤噴射装置４０が取り付けられる部材である。
ノズルステー２０は、台車１０に対して、その長手方向に沿って相対変位可能に支持されている。
【００２７】
発泡剤噴射装置３０は、屋根１００の表面に発泡性を有する樹脂材料（第１の材料）を、スプレーＳｆとして噴射し、断熱発泡層を形成するものである。
この材料（発泡剤・フォーム剤）として、例えば、ポリウレタン系樹脂、フェノール系樹脂、又は、これらの混合物等の樹脂製発泡剤を用いることができる。
例えば、主剤としてポリオール、ポリプレングリコール（ＰＰＧ）を主成分とする樹脂を用いることができる。
また、フェノール系樹脂、又は、ノボラック系熱可塑性樹脂を主成分としたフェノール系樹脂の主剤、又は、それらの混合物を主剤として用いることもできる。
これらの主剤に対し、イソシアネート等の架橋剤を、混合比略１：１で混合して発泡させ、充填剤、添加剤等を加えて噴射用の材料とする。
イソシアネートはノンフロン発泡剤の一種であり、水との反応により二酸化炭素ガスを発生し、材料を発泡させる機能を有する。
この材料が屋根１００の表面に噴射されると、直ちに発泡を開始して、例えば数十秒程度で断熱発泡層が形成される。
【００２８】
コート剤噴射装置４０は、屋根１００の表面における断熱発泡層が形成された領域に、補強防水層を構成する樹脂材料（第２の材料）を、スプレーＳｃとして噴射するものである。
この材料（コート剤）の主剤として、例えば、ポリオール、ポリプレングリコール（ＰＰＧ）を主成分とするポリウレタン系樹脂を用いることができる。
この主剤に対し、イソシアネート等の架橋剤を、混合比略１：１で混合し、充填剤、添加剤等を加えて、コート剤とすることができる。
【００２９】
発泡剤噴射装置３０、コート剤噴射装置４０は、ノズルが屋根１００を指向する姿勢において、ノズルステー２０に取り付けられている。
発泡剤噴射装置３０、コート剤噴射装置４０は、台車１０側から順次設けられている。
屋根の横方向（山部、谷部の長手方向と直交する側）における発泡剤噴射装置３０とコート剤噴射装置４０との間隔は、屋根１００における隣接する山部の頂面１１０の間隔と実質的に同等に設定されている。
各噴射装置のノズル軸心の配置（指向方向及びその推移）など詳細は後に詳しく説明する。
発泡剤噴射装置３０、コート剤噴射装置４０は、そのノズル部が揺動（首振り）することにより、発泡剤噴射装置３０及びコート剤噴射装置４０のノズル軸心が、屋根１００の第１斜面１２０を指向する第１の状態と、第２斜面１４０を指向する第２の状態とを切り替える機能を備えている。
【００３０】
ノズル駆動装置５０は、ノズルステー２０をその長手方向に沿って台車１０に対して相対移動させ、発泡剤噴射装置３０、コート剤噴射装置４０が第１の状態、第２の状態を切り替えた際に、ノズル軸心が適正な位置となるように各噴射装置の位置を調整するものである。
ノズル駆動装置５０は、発泡剤噴射装置３０、コート剤噴射装置４０の第１の状態から第２の状態への切替と連動して、ノズルステー２０を台車１０側へ繰り出す方向に駆動するとともに、第２の状態から第１の状態への切替と連動して、ノズルステー２０を台車１０から引き込む方向に駆動する。
このような機能により、発泡剤噴射装置３０、コート剤噴射装置４０は、図４に示すような挙動が可能となっている。
【００３１】
ダクト６０は、例えば地上に設置された図示しない材料供給手段から、加圧され送出された発泡剤及びコート剤を、発泡剤噴射装置３０、コート剤噴射装置４０に供給する管路である。
ダクト６０は、例えば、可撓性を有するフレキシブルなチューブ状に形成され、本体部１０に対してノズルステー２０が突出した側とは反対側の領域で取り回されている。
【００３２】
カバーフレーム７０は、発泡剤噴射装置３０、コート剤噴射装置４０を被覆する図示しないカバー部材が取り付けられる構造体である。
カバーフレーム７０は、台車１０の車輪１１による走行方向、及び、これと直交する方向から見た平面形が、それぞれ矩形となる枠状に形成されている。
カバーフレーム７０は、台車１０の走行方向から見たときに、台車１０から各噴射装置側へ、片持ち支持により張り出して配置されている。
【００３３】
以下、第１実施形態の表面処理装置を用いた表面処理方法について説明する。
図４は、第１実施形態の表面処理装置における折板屋根の表面処理方法を模式的に示す図である。
図５は、第１実施形態の表面処理装置における噴射箇所のパスを模式的に示す図である。
【００３４】
図４において、図４（ａ）乃至図４（ｄ）は、時系列における各噴射装置の噴射状態を示している。
発泡剤噴射装置３０、コート剤噴射装置４０のノズル部は、発泡剤からなるスプレーＳｆ、コート剤からなるスプレーＳｃが、頂面１１０に対して台車１０側とは反対側の第２斜面１４０を指向する第１の状態と、頂面１１０に対して台車１０側の第１斜面１２０を指向する第２の状態とを切換可能となっている。
例えば、発泡剤噴射装置３０のノズル部と、コート剤噴射装置の４０のノズル部とは、台車１０の走行方向に沿って配置された回転軸回りに、ノズルステー２０に対して回動（揺動）可能となっている。
また、ノズル駆動装置５０は、各ノズルの回動に応じて、ノズルステー２０を長手方向に沿って移動させることにより、各ノズルの軸心方向が所定の斜面を適切に指向するよう調整する機能を備えている。
【００３５】
先ず、図４（ａ）に示すように、発泡剤噴射装置３０のノズル軸心を、第１斜面１２０に指向させ、コート剤噴射装置４０のノズル軸心を、隣接する他の谷部の第１斜面１２０に指向させる。
この状態で発泡剤噴射装置３０からスプレーＳｆを噴射し、コート剤噴射装置４０からスプレーＳｃを噴射することにより、各ノズルが指向する第１斜面１２０及びこれと隣接する頂面１１０、底面１３０に発泡剤、コート剤をそれぞれ噴射することができる。
この状態で、図５に示すように、台車１０を屋根１００の一方向（例えば、図５における上向き方向）に走行させる。
【００３６】
次に、台車１０が屋根１００の端部に到達した際に、台車１０を停止させ、発泡剤噴射装置３０、コート剤噴射装置４０の噴射を停止させた状態で、発泡剤噴射装置３０、コート剤噴射装置４０のノズル方向を変換するとともにノズル駆動装置５０でノズルステー２０を繰り出し、ノズル軸心が第２斜面１４０を指向する状態とする。
この状態で、図４（ｂ）に示すように、発泡剤噴射装置３０からスプレーＳｆを噴射し、コート剤噴射装置４０からスプレーＳｃを噴射することにより、第２斜面１２０及びこれと隣接する頂面１１０、底面１３０に発泡剤、コート剤をそれぞれ噴射することができる。
この状態で、図５に示すように、台車１０を屋根１００の他方向（例えば、図５における下向き方向）に走行させる。
【００３７】
以上の処理により、発泡剤噴射装置３０の下方にある谷部を挟んだ第１斜面１２０、第２斜面１４０、及び、これと隣接する頂面１１０、底面１３０に、発泡剤を噴射することができる。
発泡剤は、噴射された後短時間（例えば数十秒）で発泡し、硬化して断熱発泡層Ｆを形成する。
また、コート剤噴射装置４０の下方にある谷部を挟んだ第１斜面１２０、第２斜面１４０、及び、これと隣接する頂面１１０、底面１３０に、コート剤を噴射することができる。
当該コート剤は、発泡剤を噴射した後、当該発泡剤が発泡する前に噴射してもよいが、発泡した後に噴射することが好ましい。
コート剤は、既に形成された断熱発泡層の表面に噴射されるが、コート剤は複数回噴射を行うことが好ましいため、以下説明するコート剤のみの噴射を行う。
【００３８】
図４（ｂ）の状態で噴射を行いつつ台車１０を走行させ、屋根１００の端部に到達した際に、台車１０を停止させ、発泡剤噴射装置３０、コート剤噴射装置４０の噴射を停止させた状態で、発泡剤噴射装置３０、コート剤噴射装置４０のノズル方向を変換するとともにノズル駆動装置５０でノズルステー２０を引き込み、ノズル軸心が第１斜面１２０を指向する状態とする。
この状態で、図４（ｃ）に示すように、コート剤噴射装置４０のみ噴射を行い、台車１０を図５における上方へ走行させる。
その後、台車１０が図５における屋根１００の上端部に到達した後に、台車１０を停止させ、コート剤噴射装置４０の噴射を停止させた状態で、発泡剤噴射装置３０、コート剤噴射装置４０のノズル方向を変換するとともにノズル駆動装置５０でノズルステー２０を繰り出し、ノズル軸心が第２斜面１４０を指向する状態とする。
この状態で、図４（ｄ）に示すように、コート剤噴射装置４０のみ噴射を行い、台車１０を図５における下方へ走行させる。
このようなコート剤噴射装置４０のみを用いた噴射を繰り返すことにより、コート剤を所定の回数だけ重ね吹きし、所望の補強防水層（コート層）Ｃの厚さを得ることができる。
【００３９】
上述したように、コート剤を所定の回数（例えば２〜４回程度）だけ重ね吹きした後、表面処理装置１は、例えば作業者あるいはクレーンなどの外部機器により、台車１０が屋根１００の山部を一山跨ぐよう、発泡剤噴射装置３０、コート剤噴射装置４０側から見て台車１０側（図５等における右側）へ移動される。
その後、図４（ａ）以降の処理を順次繰り返すことにより、折板屋根である屋根１００の表面に、断熱発泡層及び補強防水層を良好な品質で迅速に施工することができる。
【００４０】
以上説明した第１実施形態によれば、以下の効果を得ることができる。
（１）台車１０を屋根１００の表面に沿って移動させながら発泡剤、コート剤を噴射することによって、発泡剤、コート剤の塗布厚さのばらつき（ムラ）を抑制し、断熱発泡層及び補強防水層の厚さを均一化することができる。
また、発泡剤噴射装置３０及びコート剤噴射装置４０を、共通の台車１０に設けることにより、発泡剤の塗布後、短時間のうちにコート剤を塗布することが容易であり、表面処理の施工品質を向上することができる。
（２）発泡剤、コート剤を噴射する際の台車１０の走行方向を、屋根１００の上下方向（最大斜度方向）に沿って配置することにより、これと直交する方向に延在するムラが形成されることを防止し、雨水等の排水性を確保することができる。
（３）台車１０が屋根１００の山部及び谷部の長手方向に沿って走行しながら発泡剤、コート剤を噴射することにより、上述した効果を確実に得ることができる。
（４）折板屋根の谷部を、台車１０の車輪１１を案内するレールとして利用することにより、簡単な構成により十分な精度で台車１０を走行させることができる。
（５）十分な塗布厚さを確保しにくい第１斜面部１２０、第２斜面部１４０を指向して発泡剤、コート剤を噴射することによって、第１斜面部１２０、第２斜面部１４０における十分な塗布厚さを確保するとともに、頂面１１０において塗布厚さがキノコ状に過度に大きくなることを防止できる。
（６）異なった方向に傾斜した第１斜面１２０、第２斜面１４０への噴射を、発泡剤噴射装置３０、コート剤噴射装置４０の状態を推移させながら共通の噴射装置で行うことにより、装置の構成を簡素化することができる。
特に、塗装を加圧して送出するコンプレッサ等の構成を簡素化することができ、屋根に施工する場合に地上に準備する機材を少なくすることができる。
（７）折板屋根の山部、谷部に沿って台車１０を走行させながら発泡剤、コート剤を噴射した後に、山部、谷部を跨ぐ方向に台車１０を送り、同様の処理を繰り返すことにより、広範囲の施工を簡単かつ高い品質で行うことができる。
（８）発泡剤を噴射せずコート剤のみを噴射する行程を設けることにより、断熱発泡層の表面に補強防水層を十分な塗布厚さとなるまで塗布することができ、施工品質をより向上することができる。
（９）台車１０の同一の移動行程において発泡剤噴射装置３０とコート剤噴射装置４０とが異なった山部あるいは谷部に噴射を行うことにより、発泡剤を噴射した後に適度な時間間隔をおいてコート剤を噴射することができる。
（１０）各噴射装置を支持するノズルステー２０が台車１０から片持ち支持され、台車１０が噴射済みの領域から遠ざかる方向に順次送られることにより、断熱発泡層が形成された領域の表面を台車１０の車輪１１が走行することを防止でき、断熱発泡層を保護して施工品質をよりいっそう向上することができる。
【００４１】
＜第２実施形態＞
次に、本発明を適用した表面処理装置の第２実施形態について説明する。
以下説明する各実施形態において、従前の実施形態と共通する箇所には同じ符号を付して説明を省略し、主に相違点について説明する。
図６は、第２実施形態の表面処理装置の外観斜視図である。
図７は、図６のVII−VII部矢視図である。
図８は、図６のVIII−VIII部矢視図である。
【００４２】
図６乃至図８に示すように、第２実施形態の表面処理装置１Ａは、第１実施形態の表面処理装置１の構成に、横走車輪８０、ジャッキ９０、レールＲを付加したものである。
なお、図６乃至図９において、ダクト６０、カバーフレーム７０は図示を省略する。
また、第２実施形態においては、ノズルステー２０の基部から上方に突出したブラケット２１と、ノズルステー２０との間に張線２２を設けて、ノズルステー２０の支持強度の補強を図っている。
横走車輪８０、ジャッキ９０、レールＲは、表面処理装置１Ａを屋根１００の山部を跨ぐ方向へ移動させる際（横走させる際）に用いられるものである。
【００４３】
レールＲは、屋根１００の上部に着脱可能に載置され、表面処理装置１Ａの横走を案内する部材である。
レールＲは、例えば、平行に配置された一対の案内部材を両端部で結合することにより、矩形の枠状に形成されている。
レールＲ自体は比較的軽量であることから、作業者が手作業により屋根１００の複数の頂面１１０を跨ぐように載置することが可能である。
レールＲは、案内部材が折板屋根の山部、谷部の延在方向と直交する方向となるように配置される。
【００４４】
横走車輪８０は、表面処理装置１Ａの横走時に、レールＲの案内部材上を走行する転動体である。
横走車輪８０は、台車１０の本体部の下方に突出したブラケットの下端部に設けられている。
横走車輪８０は、台車１０に対して上下方向に相対変位可能に取り付けられている。
【００４５】
ジャッキ９０は、横走車輪８０を、台車１０に対して上下方向に相対変位させる駆動装置（移動体離間部）である。
ジャッキ９０は、横走車輪８０の下側にレールＲを設置し、横走車輪８０を台車１０から下方に突き出すことにより、台車１０をレールＲに対して上昇させる機能を有する。
ジャッキ９０は、例えば、電動式、油圧式などのアクチュエータにより昇降する構成とすることができる。
【００４６】
図９は、第２実施形態の表面処理装置において台車をジャッキにより上昇させた状態を示す図である。
図９に示す状態においては、台車１０の車輪１１が屋根１００の頂面１１０よりも高い状態まで上昇しており、台車１０はレールＲに沿って屋根１００の山部、谷部を跨ぐ方向に移動することができる。
台車１０の横走方向の移動が終了した後、ジャッキ９０により、車輪１１が屋根１００の底面１３０に接し、かつ横走車輪８０がレールＲから離間するまで、横走車輪８０を台車１０に対して上昇（台車１０を屋根１００に対して下降）させた後、レールＲは例えば作業者の手作業により移動またはすることができる。
【００４７】
以上説明した第２実施形態によれば、上述した第１実施形態の効果と同様の効果に加えて、軽量かつ簡単な構成により、屋根の山部、谷部を跨ぐ方向の移動を、容易かつ省力化して行うことができる。
【００４８】
＜第３実施形態＞
次に、本発明を適用した表面処理装置の第３実施形態について説明する。
図示しない第３実施形態の表面処理装置においては、発泡剤噴射装置３０とコート剤噴射装置４０とを、台車１０の走行方向（屋根１００の山部、谷部の長手方向）に沿って配列している。
第３実施形態の表面処理装置１においては、先ず発泡剤噴射装置３０から発泡剤を噴射した状態で台車１０を屋根１００の山部、谷部に沿って１行程走行させ、その後、コート剤噴射装置４０からコート剤を噴射した状態で同じ軌跡に沿って１行程又は複数行程走行させることにより、断熱発泡層及び補強防水層の施工を順次行う。
以上説明した第３実施形態によれば、表面処理装置の構成をコンパクト化して装置の可搬性などを向上することができる。
【００４９】
＜第４実施形態＞
次に、本発明を適用した表面処理装置の第４実施形態について説明する。
図示しない第４実施形態の表面処理装置においては、第１実施形態における方向可変式のノズルを有する発泡剤噴射装置３０及びコート剤噴射装置４０に代えて、屋根１００の第１斜面１２０、第２斜面１４０をそれぞれ指向する複数のノズルを有する発泡剤噴射装置３０及びコート剤噴射装置４０を備えている。
以上説明した第４実施形態によれば、噴射される材料の供給装置の構成は複雑化するものの、装置の可動部分を減らして耐久性、信頼性を向上することができる。
【００５０】
（変形例）
本発明は、以上説明した実施形態に限定されることなく、種々の変形や変更が可能であって、それらも本発明の技術的範囲内である。
（１）表面処理装置及び表面処理方法の構成は、上述した各実施形態に限定されず、適宜変更することができる。
（２）各実施形態においては、１台の表面処理装置に発泡剤噴射装置及びコート剤噴射装置を一組ずつ搭載しているが、１台の表面処理装置に、複数の発泡剤噴射装置、複数のコート剤噴射装置を設けてもよい。
また、コート剤からなる補強防水層をさらに被覆する他の材料を噴射する噴射装置を設けてもよい。
（３）表面処理装置が山部、谷部を跨ぐ方向の移動を行う移動装置の構成は、第２実施形態の構成に限らず、適宜変更することが可能である。
（４）各実施形態においては、表面処理を行う対象物は一例として折板屋根であったが、本発明はこれに限定されず、例えばスレート屋根などの折板屋根以外の屋根や、建物の壁面など、他の対象物の表面処理にも適用することができる。
（５）各実施形態において、処理対象物の屋根１００は、その傾斜が最大となる方向に沿って頂面１１０、第１斜面１２０、底面１３０、第２斜面１４０が延びる構成を示したが、必ずしも傾斜が最大となる方向でなくてもよく、この場合、表面処理装置１は、屋根の傾斜方向に沿って移動するものであればよく、傾斜が最大となる方向に沿って移動するものである必要はない。
【符号の説明】
【００５１】
１，１Ａ    表面処理装置              １０    台車
１１    車輪                            １２    駆動用モータユニット
２０    ノズルステー                    ２１    ブラケット
２２    張線                            ３０    発泡剤噴射装置
４０    コート剤噴射装置                ５０    ノズル駆動装置
６０    ダクト                          ７０    カバーフレーム
８０    横走車輪                        ９０    ジャッキ
Ｒ    レール
１００    屋根                          １１０    頂面
１２０    第１斜面                      １３０    底面
１４０    第２斜面
Ｓｆ    発泡剤のスプレー                Ｓｃ    コート剤のスプレー
Ｆ    断熱発泡層                        Ｃ    補強防水層
【図１】
2020193476.tif 000003
【図２】
2020193476.tif 000004
【図３】
2020193476.tif 000005
【図４】
2020193476.tif 000006
【図５】
2020193476.tif 000007
【図６】
2020193476.tif 000008
【図７】
2020193476.tif 000009
【図８】
2020193476.tif 000010
【図９】
2020193476.tif 000011